(57)【要約】【課題】原紙ロールの原紙を使い切ることができ、旧原紙と新原紙との紙継ぎを精度良く確実に行なうことができるコルゲートマシンにおける紙継方法及び紙継装置を提供する。【解決手段】送出ローラ７で旧原紙Ｐｏを送り出す。第１ガイドローラ８と第２ガイドローラ９との間に旧原紙Ｐｏを挟み込んで送出ローラ７に向かって案内する。そして、原紙ロールの紙管Ｔからの旧原紙Ｐｏの終端の離反が離反検出手段４により検出されたとき、第２ガイドローラ９の回転を停止させて第１ガイドローラ８と第２ガイドローラ９との間で旧原紙Ｐｏを押え付ける。次いで、この押さえ位置の下流側の旧原紙Ｐｏに、新原紙Ｐｎの始端部を貼り付け、続いて、旧原紙Ｐｏと新原紙Ｐｎとの貼り付け位置の上流側において旧原紙Ｐｏをカッタ１２により切断する。【選択図】図４
2008308242.tif 000002
【特許請求の範囲】
【請求項１】
段ボールシートを製造するコルゲートマシンにおける原紙の供給に際し、長尺の原紙が紙管に巻回されてなる原紙ロールから繰り出し供給されている旧原紙に、他の原紙ロールから繰り出した新原紙を紙継ぎする紙継方法において、
旧原紙を供給方向に送り出す送出工程と、
回転自在の第１ガイドローラと回転自在の第２ガイドローラとの間に旧原紙を挟み込んで送り出し方向に案内する旧原紙案内工程と、
原紙ロールの紙管からの旧原紙の終端の離反を検出し、前記第２ガイドローラの回転を停止させて第１ガイドローラと第２ガイドローラとの間で旧原紙を押える旧原紙押さえ工程と、
該旧原紙押さえ工程による押さえ位置の下流側の旧原紙に、他の原紙ロールから繰り出した新原紙の始端部を貼り付ける貼付工程と、
該貼付工程による旧原紙と新原紙との貼り付け位置の上流側において旧原紙を切断する切断工程とを備えることを特徴とするコルゲートマシンにおける紙継方法。
【請求項２】
段ボールシートを製造するコルゲートマシンに設けられ、長尺の原紙が紙管に巻回されてなる原紙ロールから繰り出し供給されている旧原紙に、他の原紙ロールから繰り出した新原紙を紙継ぎする紙継装置において、
旧原紙を供給方向に送り出す送出ローラと、
該送出ローラの上流側に設けられて旧原紙を送出ローラに向かって案内する回転自在の第１ガイドローラと、
該第１ガイドローラとの間に旧原紙を挟み込んで案内する回転自在の第２ガイドローラと、
該第２ガイドローラの回転を停止させるブレーキ手段と、
他の原紙ロールから繰り出した新原紙の始端部を保持し、送出ローラと第１ガイドローラとの間の旧原紙に新原紙の始端部を貼り付ける貼付手段と、
該貼付手段による旧原紙と新原紙との貼り付け位置の上流側において旧原紙を切断するカッタと、
原紙ロールの紙管からの旧原紙の終端の離反を検出する離反検出手段と、
該離反検出手段の検出に応じて前記ブレーキ手段を作動させる制御手段とを備えることを特徴とするコルゲートマシンにおける紙継装置。
【請求項３】
前記第２ガイドローラは、前記第１ガイドローラに対して接離自在から所定の距離を存して離間する位置と該第１ガイドローラに当接する位置との間で移動自在に設けられており、
前記第２ガイドローラを第１ガイドローラに当接する方向に移動させて第１ガイドローラと第２ガイドローラとの間に旧原紙を挟み込む移動手段と、原紙ロールの紙管に巻回された旧原紙の残量を検出する残量検出手段とを設け、
前記制御手段は、該残量検出手段によって検出される旧原紙の残量が所定量となったとき、前記移動手段を作動させることを特徴とする請求項２記載のコルゲートマシンにおける紙継装置。
【請求項４】
前記第２ガイドローラは、回転軸と、該回転軸の長手方向に所定間隔を存して配設されて外周面が旧原紙に接する複数の当接ローラとを備え、
各当接ローラは、その外径が、回転軸の長手方向中央から両端方向に向かって次第に小とされていることを特徴とする請求項２又は３記載のコルゲートマシンにおける紙継装置。
【発明の詳細な説明】
【技術分野】
【０００１】
本発明は、コルゲートマシンにおける紙継方法及び紙継装置に関する。
【背景技術】
【０００２】
段ボールシートを製造するコルゲートマシンは、原紙が巻回された原紙ロールを支持する複数のミルロールスタンドを備えている。各原紙ロールは、ライナとなる原紙が巻回されたものや、段付き中芯となる原紙が管状の心材である紙管に巻回されており、紙管を回転軸として夫々のミルロールスタンドに支持される。各ミルロールスタンドに支持された原紙ロールからは、ライナとなる原紙や段付き中芯となる原紙が夫々所定位置に供給される。
【０００３】
また、個々のミルロールスタンドは、一対の原紙ロールを支持することができるようになっている。そして、一方の原紙ロールから供給している原紙（旧原紙）が残り少なくなったときや使い切ったときには、旧原紙に、他方の原紙ロールに巻回された原紙（新原紙）の始端を継ぎ足す（紙継ぎする）ことにより、連続した原紙の供給を可能としている。このため、この種のコルゲートマシンには、旧原紙と新原紙との紙継ぎを行なう紙継装置が設けられている（例えば、特許文献１参照）。
【０００４】
従来、紙継装置は、図５に概略構成を示すように、圧着部材２０と上部ガイドローラ２１と下部ガイドローラ２２とを夫々一対ずつ左右対称に備えている。圧着部材２０は、上部ガイドローラ２１と同軸に揺動する揺動フレーム２３に支持され、その圧着面には原紙を負圧吸引により吸着する手段が設けられている。更に、圧着部材２０と上部ガイドローラ２１との間にはカッタ２４が設けられている。両上部ガイドローラ２１の下流には送りローラ２５が設けられており、その下流には図示しない複数のダンサーロールによる原紙貯留部が設けられている。
【０００５】
次に、前記紙継装置による紙継工程を説明すれば、送りローラ２５と一方側の上部ガイドローラ２１とによって旧原紙Ｐｏを下流に送り出した状態のとき、先ず、他方側の揺動フレーム２３を外側に揺動させて停止させる。次いで、新原紙Ｐｎの始端部を圧着部材２０に吸着保持させ、新原紙Ｐｎの露出面に両面テープを貼り付ける。
【０００６】
そして、旧原紙ロールの旧原紙Ｐｏが残り少なくなったとき、送りローラ２５による旧原紙Ｐｏの下流への送り出しを停止させ、同時に前記原紙貯留部に貯留されていた旧原紙Ｐｏの送り出しに切換える。次いで、圧着部材２０に新原紙Ｐｎを保持した揺動フレーム２３を内側に揺動させて両圧着部材２０同士の圧接により新原紙Ｐｎを旧原紙Ｐｏに貼り付け、旧原紙Ｐｏをカッタ２４により切断する。なお、図示しないが、ミルロールスタンドには、原紙ロールから繰り出される原紙に一定の張力を付与するためのブレーキが設けられており、新原紙Ｐｎを旧原紙Ｐｏに貼り付けるときから旧原紙Ｐｏをカッタ２４により切断するまでは、ミルロールスタンドのブレーキにより旧原紙Ｐｏに張力を付与する。続いて、紙継ぎが完了した新原紙Ｐｎは、両圧着部材２４による圧接が解除され、旧原紙Ｐｏに紙継ぎされた新原紙Ｐｎが送りローラ２５によって下流へ送り出される。
【０００７】
ところで、近年では、紙継ぎ後に紙管に残った旧原紙の無駄を省くために、ミルロールスタンドに支持された紙管から旧原紙が外れるまで旧原紙を繰り出し、紙管から外れた旧原紙の終端のできるだけ近い位置で新原紙への紙継ぎを行なって旧原紙を使い切ることが望まれている。そこで、ミルロールスタンドに支持された紙管からの旧原紙の外れを検知して前記送りローラによる旧原紙の下流への送り出しを停止させ、この状態で、旧原紙に新原紙の紙継ぎを行なうことが考えられる。
【０００８】
しかし、紙管から外れた旧原紙には、ミルロールスタンドのブレーキによって張力を付与することができないために、旧原紙への新原紙の貼り付けやカッタによる旧原紙の切断が円滑に行なえない。しかも、原紙ロールにおいては原紙の終端が紙管に接着されているために、旧原紙の終端が紙管から剥離する直前には送りローラと紙管との間の旧原紙に極めて高い張力が付与され、旧原紙の終端が紙管から剥離した直後にはその張力が瞬時に開放されることによって、旧原紙が激しく波打ちながら高速で送りローラに向かい、新原紙の紙継ぎ位置にズレや皺付きが生じる不都合がある。
【特許文献１】特開２００２−１２３４９号公報（図１４）
【発明の開示】
【発明が解決しようとする課題】
【０００９】
かかる不都合を解消して、本発明は、原紙ロールの紙管に原紙を残すことなく使い切ることができ、旧原紙と新原紙との紙継ぎを精度良く確実に行なうことができるコルゲートマシンにおける紙継方法及び紙継装置を提供することを目的とする。
【課題を解決するための手段】
【００１０】
本発明は、段ボールシートを製造するコルゲートマシンにおける原紙の供給に際し、長尺の原紙が紙管に巻回されてなる原紙ロールから繰り出し供給されている旧原紙に、他の原紙ロールから繰り出した新原紙を紙継ぎする紙継方法であり、旧原紙を供給方向に送り出す送出工程と、回転自在の第１ガイドローラと回転自在の第２ガイドローラとの間に旧原紙を挟み込んで送り出し方向に案内する旧原紙案内工程と、原紙ロールの紙管からの旧原紙の終端の離反を検出し、前記第２ガイドローラの回転を停止させて第１ガイドローラと第２ガイドローラとの間で旧原紙を押える旧原紙押さえ工程と、該旧原紙押さえ工程による押さえ位置の下流側の旧原紙に、他の原紙ロールから繰り出した新原紙の始端部を貼り付ける貼付工程と、該貼付工程による旧原紙と新原紙との貼り付け位置の上流側において旧原紙を切断する切断工程とを備えることを特徴とする。
【００１１】
本発明の紙継方法によれば、送出工程により旧原紙を原紙ロールから繰り出し供給しているとき、旧原紙案内工程により旧原紙を第１ガイドローラと第２ガイドローラとの間に挟み込んで送り出し方向に案内する。そして、原紙ロールの旧原紙を使い切ったときには原紙ロールの紙管から旧原紙が無くなることから、旧原紙押さえ工程により紙管からの旧原紙の終端の離反を検出して第２ガイドローラの回転を停止させる。これにより、旧原紙は第１ガイドローラと第２ガイドローラとの間に挟み込まれた状態に押さえ付けられる。そして、この状態を維持して貼付工程により旧原紙に新原紙を貼り付け、次いで、切断工程により旧原紙を切断する。このように、旧原紙押さえ工程を設けることにより、例えば、原紙ロールの紙管から離反した旧原紙の終端部に激しい波打ちが生じても、第１ガイドローラと第２ガイドローラとの間への挟み込みによりその波打ちが下流に波及することを防止することができる。しかも、旧原紙押さえ工程により第１ガイドローラと第２ガイドローラとの間で旧原紙を押えるので、旧原紙に適度な張力を付与することができ、貼付工程及び切断工程を円滑に且つ精度良く行なうことができる。このように、本発明の紙継方法によれば、原紙ロールの紙管に原紙を残すことなく使い切ることができ、旧原紙と新原紙との紙継ぎを精度良く確実に行なうことができる。
【００１２】
また、本発明は、段ボールシートを製造するコルゲートマシンに設けられ、長尺の原紙が紙管に巻回されてなる原紙ロールから繰り出し供給されている旧原紙に、他の原紙ロールから繰り出した新原紙を紙継ぎする紙継装置であり、旧原紙を供給方向に送り出す送出ローラと、該送出ローラの上流側に設けられて旧原紙を送出ローラに向かって案内する回転自在の第１ガイドローラと、該第１ガイドローラとの間に旧原紙を挟み込んで案内する回転自在の第２ガイドローラと、該第２ガイドローラの回転を停止させるブレーキ手段と、他の原紙ロールから繰り出した新原紙の始端部を保持し、送出ローラと第１ガイドローラとの間の旧原紙に新原紙の始端部を貼り付ける貼付手段と、該貼付手段による旧原紙と新原紙との貼り付け位置の上流側において旧原紙を切断するカッタと、原紙ロールの紙管からの旧原紙の終端の離反を検出する離反検出手段と、該離反検出手段の検出に応じて前記ブレーキ手段を作動させる制御手段とを備えることを特徴とする。
【００１３】
本発明の紙継装置によれば、原紙ロールの紙管から旧原紙の終端が離反したとき、それを離反検出手段が検出し、この検出に応じて制御手段がブレーキ手段を作動させる。これにより、第２ガイドローラの回転が停止し、第１ガイドローラと第２ガイドローラの間に挟み込まれた状態で旧原紙を確実に停止させることができる。そしてこのとき、第２ガイドローラが第１ガイドローラとの間に旧原紙を挟み込んだ状態で旧原紙を停止させているので、旧原紙の終端が紙管から離反した直後に旧原紙が激しく波打ちながら高速で送出ローラに向かおうとしても、旧原紙の終端の波打ちが第１ガイドローラと第２ガイドローラとによって規制され、貼付手段による新原紙の貼り付けを精度良く行なうことができる。しかも、送出ローラと両ガイドローラとの間で旧原紙に適度な張力を持たせた状態で旧原紙を停止させることができるので、貼付手段による新原紙の貼り付けや、カッタによる旧原紙の切断を円滑に行なうことができる。このように、本発明の紙継装置によれば、原紙ロールの紙管に原紙を残すことなく使い切ることができ、旧原紙と新原紙との紙継ぎを精度良く確実に行なうことができる。
【００１４】
また、本発明の紙継装置において、前記第２ガイドローラは、前記第１ガイドローラから所定の距離を存して離間する位置と該第１ガイドローラに当接する位置との間で移動自在に設けられており、前記第２ガイドローラを第１ガイドローラに当接する方向に移動させて第１ガイドローラと第２ガイドローラとの間に旧原紙を挟み込む移動手段と、原紙ロールの紙管に巻回された旧原紙の残量を検出する残量検出手段とを設け、前記制御手段は、該残量検出手段によって検出される旧原紙の残量が所定量となったとき、前記移動手段を作動させることを特徴とする。
【００１５】
これによれば、原紙ロールの紙管に巻回された旧原紙の残量が十分多量であるときには、第１ガイドローラから第２ガイドローラを離間させておき、旧原紙にかかる負荷を軽減して高速で繰り出し供給を行なうことができる。そして、前記制御手段が前記移動手段を作動させて、原紙ロールの紙管から旧原紙の終端が離反するに先立って、旧原紙の残量が少なくなったときに第１ガイドローラと第２ガイドローラとの間に旧原紙を挟み込んで案内する状態とすることができ、原紙ロールの紙管から旧原紙の終端が離反した際に生じる旧原紙の波打ちが貼付手段による貼り付け位置に波及することを確実に防止することができる。
【００１６】
また、本発明の紙継装置において、前記第２ガイドローラは、回転軸と、該回転軸の長手方向に所定間隔を存して配設されて外周面が旧原紙に接する複数の当接ローラとを備え、各当接ローラは、その外径が、回転軸の長手方向中央から両端方向に向かって次第に小とされていることを特徴とする。
【００１７】
第２ガイドローラにより案内されて送出ローラへ向かう旧原紙は、第２ガイドローラの各当接ローラの外周に接して移動する。このとき、各当接ローラの外径は、回転軸の長手方向中央から両端方向に向かって次第に小とされていることにより、旧原紙は、その幅方向（繰り出し供給方向に直交する方向）の中央から両側端に向かって引き伸ばされつつ移動する。これによって、旧原紙に波打ちが生じていても、第２ガイドローラは、旧原紙を幅方向に張りを持たせた状態で案内することができ、第１ガイドローラとの間に旧原紙を挟み込んで案内される旧原紙に皺付きが生じることを確実に防止することができる。
【発明を実施するための最良の形態】
【００１８】
本発明の一実施形態を図面に基づいて説明する。図１は本実施形態の紙継装置を備えるコルゲートマシンの一部を模式的に示す説明図、図２は本実施形態の紙継装置を示す説明図、図３は第２ガイドローラの一部を示す説明的斜視図、図４は本実施形態の紙継装置の作動を示す説明図である。
【００１９】
本実施形態の紙継装置１は、図１に示すように、段ボールシートを製造するコルゲートマシンの上流側に設けられ、ミルロールスタンド２の下流側である上方位置に移動自在に配設されている。ミルロールスタンド２は一対の支持アーム２ａ，２ｂを備え、各支持アーム２ａ，２ｂは原紙ロールＲｏ，Ｒｎを回転自在に支持する。図１に示す状態においては、一方（図１中右側）の支持アーム２ａに、現在供給している原紙（旧原紙）Ｐｏが巻回された原紙ロール（旧原紙ロール）Ｒｏを支持し、他方（図１中左側）の支持アーム２ｂに、旧原紙Ｐｏに継続して供給するために待機している原紙（新原紙）Ｐｎが巻回された原紙ロール（新原紙ロール）Ｒｎを支持している。原紙Ｐｏ，Ｐｎは、管状の心材である紙管Ｔに巻回されて原紙ロールＲｏ，Ｒｎを形成している。各支持アーム２ａ，２ｂはその回転自在の支持軸２ｃにより紙管Ｔを支持している。また、図１において、３は原紙ロールＲｏ，Ｒｎに巻回されている原紙Ｐｏ，Ｐｎの残量を検出する残量検出手段、４は紙管Ｔから原紙Ｐｏ，Ｐｎの終端が離反したことを検出する離反検出手段、５は残量検出手段３及び離反検出手段４の検出結果に応じて紙継装置１を制御する制御手段である。
【００２０】
なお、図１においては、一方の支持アーム２ａに旧原紙ロールＲｏを支持し、他方の支持アーム２ｂに新原紙ロールＲｎを支持した状態から以下の説明を行なうが、各支持アーム２ａ，２ｂは、支持する原紙ロールＲｏ，Ｒｎの新旧が原紙Ｐｏ，Ｐｎの交換に応じて順次入れ替わるものである。
【００２１】
紙継装置１は、詳しくは後述するが、旧原紙Ｐｏに新原紙Ｐｎを貼り付けて紙継ぎを行なうものであり、ミルロールスタンド２に支持されている両原紙ロールＲｏ，Ｒｎの上方位置間でスライド可能に設けられている。これにより、図１に示すように、新原紙Ｐｎを待機させるときに、新原紙ロールＲｎの上方に位置される。
【００２２】
紙継装置１の下流側である上方位置には、詳しくは図示されないが図１に示すように、ダンサーロールによって、旧原紙Ｐｏを貯留しつつ供給する原紙貯留部６が設けられている。これにより、紙継装置１による紙継ぎ作業が行われている間、原紙貯留部６の上流側からの旧原紙Ｐｏの供給が一時的に停止しても、原紙貯留部６の下流側への旧原紙Ｐｏの供給を継続させることができるようになっている。
【００２３】
次に、本実施形態の紙継装置１の構成を説明する。紙継装置１は、図２に示すように、原紙Ｐｏを原紙貯留部６に向かって送り出す一対の送出ローラ７と、送出ローラ７に向かって各原紙Ｐｏ，Ｐｎを案内する一対の第１ガイドローラ８と、各第１ガイドローラ８に対して接離自在に設けられた一対の第２ガイドローラ９とを備えている。
【００２４】
また、夫々の第１ガイドローラ８と同軸に互いに接離方向に揺動する一対の揺動フレーム１０が設けられており、各揺動フレーム１０には、圧着部材１１とカッタ１２とが設けられている。各揺動フレーム１０の揺動は、図示しない駆動手段により行なわれる。各圧着部材１１は、新原紙Ｐｎの始端部を吸着して保持する手段（図示せず）を備えており、両揺動フレーム１０を起立方向に揺動させて両圧着部材１１を付き合わせることによりその間で旧原紙Ｐｏに新原紙Ｐｎを貼り付ける。カッタ１２は、圧着部材１１と第１ガイドローラ８との間に設けられ、旧原紙Ｐｏの切断を行なうものである。なお、本実施例の揺動フレーム１０と圧着部材１１とは、本発明の貼付手段を構成している。
【００２５】
第２ガイドローラ９は、揺動軸１３を介して揺動自在に設けられた揺動アーム１４に回転自在に支持されている。揺動アーム１４の揺動は、図示しないシリンダ等により構成された駆動手段（本発明における移動手段）により行なわれる。また、第２ガイドローラ９は、図３に示すように、揺動アーム１４に回転自在に支持された回転軸１５と、該回転軸１５に同軸のローラ基部１６と、該ローラ基部１６の長手方向に所定間隔を存して配設された複数の当接ローラ１７とによって構成されている。揺動アーム１４には、回転軸１５の回転を停止させるブレーキ手段１８が設けられている。当接ローラ１７は、ウレタン等の合成樹脂により構成されており、その外周面に接した原紙Ｐｏ，Ｐｎとの間に適度な摩擦が得られると共に適度な変形が得られるようになっている。更に、詳しくは図示されていないが、回転軸１５の長手方向中央部に位置する当接ローラ１７の外径が最も大きく、回転軸１５の両端側に向かって各当接ローラ１７の外径が次第に小さくなっている。これにより、原紙Ｐｏ，Ｐｎが当接ローラ１７に接すると原紙Ｐｏ，Ｐｎの幅方向に引き伸ばし力が生じて皺伸ばし効果を得ることができる。
【００２６】
次に、本実施形態の紙継装置１の作動を説明する。図１及び図２を参照して、ミルロールスタンド２の一方の支持アーム２ａに支持された旧原紙ロールＲｏから繰り出された旧原紙Ｐｏが供給されているとき、図２に示すように、送出ローラ７から旧原紙Ｐｏが下流側（供給方向）に送り出され、第１ガイドローラ８が旧原紙Ｐｏを案内する（送出工程）。このとき、第２ガイドローラ９は、図２において仮想線で示す位置にある。
【００２７】
そして、図１に示す残量検出手段３が、旧原紙ロールＲｏの旧原紙Ｐｏの残量が少なくなったことを検出すると、制御手段５の指令により第２ガイドローラ９の揺動アーム１４が揺動され、図２において実線で示すように、第２ガイドローラ９と第１ガイドローラ８との間に旧原紙Ｐｏを挟み込む。この状態では、第２ガイドローラ９は第１ガイドローラ８に共回りして旧原紙Ｐｏの送出を案内する（旧原紙案内工程）。この間、図２に示すように、ミルロールスタンド２の他方の支持アーム２ｂに支持された新原紙ロールＲｎから新原紙Ｐｎを適量繰り出して、新原紙Ｐｎの始端部を圧着部材１１に吸着保持させ、新原紙Ｐｎの始端部の露出側（貼り付け面となる側）に両面接着テープを貼り付けておく。
【００２８】
続いて、図１に示す離反検出手段４が、図４に示すように、旧原紙ロールＲｏの紙管Ｔからの旧原紙Ｐｏの終端の離反を検出すると、図１に示す制御手段５の指令により第２ガイドローラ９のブレーキ手段１８（図３参照）により第２ガイドローラ９の回転が停止される。これにより、第１ガイドローラ８と第２ガイドローラ９との間で旧原紙Ｐｏを押え付けられる（旧原紙押さえ工程）。これと略同時に送出ローラ７による旧原紙Ｐｏの送り出しが停止し、原紙貯留部６による旧原紙Ｐｏの供給に切り替わる。
【００２９】
一方、図４に示すように、旧原紙Ｐｏの終端は、紙管Ｔに接着された部分の剥離に伴って激しく波打ちながら送り出し方向に進もうとするが、第１ガイドローラ８と第２ガイドローラ９との間で旧原紙Ｐｏが押え付けられていることによって、送出ローラ７と第１ガイドローラ８との間の旧原紙Ｐｏには、この波打ちが波及しないだけでなく、適度な張力が付与された状態が維持される。この状態で、新原紙Ｐｎを保持した圧着部材１１が揺動フレーム１０（図１参照）の揺動により旧原紙Ｐｏに向かい、旧原紙Ｐｏ側の圧着部材１１との間で旧原紙Ｐｏに新原紙Ｐｎの始端部を圧接される。これにより、新原紙Ｐｎは両面接着テープを介して旧原紙Ｐｏに貼り付けられる（貼付工程）。そして、第１ガイドローラ８と第２ガイドローラ９との間で旧原紙Ｐｏを押え付けた状態を維持し、カッタ１２により旧原紙Ｐｏを切断する。その後、両圧着部材１１の圧接状態を解除し、送出ローラ７による新原紙Ｐｎの送り出しが行なわれる。
【００３０】
このように、本実施形態の紙継装置１によれば、旧原紙ロールＲｏの旧原紙Ｐｏを使い切ることができ、しかも、紙管Ｔから旧原紙Ｐｏの終端が離反するときに生じる激しい波打ち等の影響を排除して制度良く確実に紙継ぎを行なうことができる。
【図面の簡単な説明】
【００３１】
【図１】本発明の一実施形態の紙継装置を備えるコルゲートマシンの一部を模式的に示す説明図。
【図２】本実施形態の紙継装置を示す説明図。
【図３】第２ガイドローラの一部を示す説明的斜視図。
【図４】本実施形態の紙継装置の作動を示す説明図。
【図５】従来の紙継装置を示す説明図。
【符号の説明】
【００３２】
Ｒｏ，Ｒｎ…原紙ロール、Ｐｏ…旧原紙、Ｐｎ…新原紙、Ｔ…紙管、１…紙継装置、３…残量検出手段、４…離反検出手段、５…制御手段、７…送出ローラ、８…第１ガイドローラ、９…第２ガイドローラ、１１…圧着部材（貼付手段）、１２…カッタ、１５回転軸、
１７…当接ローラ、１８…ブレーキ手段。
【図１】
2008308242.tif 000003
【図２】
2008308242.tif 000004
【図３】
2008308242.tif 000005
【図４】
2008308242.tif 000006
【図５】
2008308242.tif 000007